(57)【要約】【課題】バインダー塗布と骨材散布の一体同時施工により、高い骨材の固着性を実現し、舗装面に求められるすべり抵抗性が充分発揮できる。そして、高機能舗装（排水性舗装）に施工する場合は、その路面における排水性機能を損なうことなく、カラー路面塗装する事が可能となり、注意喚起や安全通路の明示等に効果を発揮出来る。【解決手段】塗料タンク４からの塗料供給部に材料を補給し、シューまたはスリットノズルより、塗料を路面へ落下・直接流下させ、骨材散布と同時にカラー塗装する路面塗装施工装置において、塗料が落下する前に骨材を散布する前散布装置１１と、塗料が落下した後に骨材を散布する後散布装置１０とを設け、２種類の骨材散布と同時にカラー塗装する。【選択図】  図１
2015034389.tif 000002
【特許請求の範囲】
【請求項１】
塗料タンクからの塗料供給部に材料を補給し、シューまたはスリットノズルより、塗料を路面へ落下・直接流下させ、骨材散布と同時にカラー塗装する路面塗装施工装置において、塗料が落下する前に骨材を散布する前散布装置と、塗料が落下した後に骨材を散布する後散布装置とを設け、２種類の骨材散布と同時にカラー塗装することを特徴とした路面塗装施工装置。
【請求項２】
前散布装置は、粒の大きい硬質骨材やセラミックまたは多孔質骨材（1.0mm〜3.3mm）や、硅砂等の骨材を前散布するものであり、後散布装置は、粒の小さい硬質骨材やセラミック骨材または多孔質骨材（0.5mm〜1.0mm）や硅砂等の骨材を後散布するものである請求項１記載の路面塗装施工装置。
【請求項３】
施工機の塗料タンクからの塗料供給部に材料を補給し、シューまたはスリットノズルより、塗料を路面へ落下・直接流下させ、塗料が落下する前に粒の大きい硬質骨材やセラミックまたは多孔質骨材（1.0mm〜3.3mm）や、硅砂等の骨材を前散布し、
塗料が落下した後に粒の小さい硬質骨材やセラミック骨材または多孔質骨材（0.5mm〜1.0mm）や硅砂等の骨材を後散布することを特徴とした路面塗装施工法。
【請求項４】
骨材の前散布は、ホッパー内に骨材を満たすため、バーナー部に火を付け、加熱プレートに熱を加えて熱伝導で中の骨材を加熱・保温し、加熱・保温された骨材を散布パイプの穴より路面に落下させる請求項３記載の路面塗装施工法。
【請求項５】
ホッパーの下部にタイヤを両側に設け、ホッパーの内部にバーナー部で加熱する加熱プレートを設置可能とし、その下方に排出装置として、骨材を路面に落下させる穴を点在させた散布パイプを前記タイヤの車軸に被嵌して回動自在に設けたことを特徴とする路面塗装施工装置用骨材散布装置。
【発明の詳細な説明】
【技術分野】
【０００１】
本発明は、溶融型直接流下式路面カラー塗装における骨材散布をおこなう路面塗装施工装置および路面塗装施工法および路面塗装施工装置用骨材散布装置に関するものである。
【背景技術】
【０００２】
道路の表面を凹凸としたすべり止めを施すことは、交通事故が多発する危険のある箇所、例えば交差点、横断歩道、踏切、曲線部、坂道などに必要とされ、これには樹脂系のすべり止め舗装が一般的である。
【０００３】
樹脂系のすべり止め舗装としては、略式の慣用語としてニート工法と呼ばれる表面処理工法が従来行われている。
【０００４】
これは、下記特許文献にも示されるが、図１７に示すように既設又は新設のアスファルト舗装、コンクリート舗装の舗装面α上に、樹脂バインダー１として可撓性エポキシ樹脂を薄く均一に塗布し、その上に耐磨耗性の硬質骨材２（黒および着色）を散布して路面に固着させる工法で、特に湿潤時でもすべり抵抗性を高めることを目的としたものである。
【特許文献１】特許第２７９６７８２号公報
【０００５】
このようにして施工された道路表面層は樹脂バインダー１中に硬質骨材２の底部が埋没して固着している。また、樹脂バインダー、着色磁器質骨材、トップコートを適用することによって、すべり抵抗性の他に耐久性の優れたカラー舗装が併せて得られる。
【０００６】
使用する施工装置としては種々のタイプがあるが、一例として下記特許文献にもあるが、図１６に示すように、手押し式または手引き式の台車３にシャッターによるスリット開口もしくはスリットノズルを設けた塗料散布装置７を接続する塗料タンク４を設けた。図中５は前記シャッターの操作ハンドル、６はバーナー用の燃料ボンベである。そして樹脂バインダー１である塗料塗布後に上から散布する骨材供給装置８を取り付けている。
【特許文献１】特開平１０−１５９０１５号公報
【０００７】
このようにして、台車３を走行させながら塗料散布装置７のシャッターによるスリット開口の幅で吐出量を調整しながら塗料を舗装面に塗布していき、その上から骨材供給装置８により骨材を散布する。
【発明の概要】
【発明が解決しようとする課題】
【０００８】
前記のように、舗装面α上に、樹脂バインダー１として可撓性エポキシ樹脂を均一に塗布し、その上に耐磨耗性の硬質骨材２（黒および着色）を散布して路面に固着させる工法では、施工された道路表面層は樹脂バインダー１中に硬質骨材２の底部が埋没して固着しているが、その固着性に難があり、舗装面に求められる十分なすべり抵抗性が得られないおそれがある。
【０００９】
すなわち、前記従来のニート工法による樹脂系のすべり止め舗装では、硬質骨材２が樹脂バインダー１中に完全に混入されたものでないので、施工中や施工後に硬質骨材２の一部が脱落・剥離して無駄になるし、また、これを清掃する手間がかかる。
【００１０】
本発明の目的は前記従来例の不都合を解消し、高い骨材の固着性を実現し、舗装面に求められるすべり抵抗性を発揮させることができる路面塗装施工装置および施工法および路面塗装施工装置用骨材散布装置を提供することにある。
【課題を解決するための手段】
【００１１】
前記目的を達成するため本発明は、路面塗装施工装置としては、第１に、塗料タンクからの塗料供給部に材料を補給し、シューまたはスリットノズルより、塗料を路面へ落下・直接流下させ、骨材散布と同時にカラー塗装する路面塗装施工機において、塗料が落下する前に骨材を散布する前散布装置と、塗料が落下した後に骨材を散布する後散布装置とを設け、２種類の骨材散布と同時にカラー塗装すること、第２に、前散布装置は、粒の大きい硬質骨材やセラミックまたは多孔質骨材（1.0mm〜3.3mm）や、硅砂等の骨材を前散布するものであり、後散布装置は、粒の小さい硬質骨材やセラミック骨材または多孔質骨材（0.5mm〜1.0mm）や硅砂等の骨材を後散布するものであることを要旨とするものである。
【００１２】
また、路面塗装施工法としては、第１に、施工機の塗料タンクからの塗料供給部に材料を補給し、シューまたはスリットノズルより、塗料を路面へ落下・直接流下させ、塗料が落下する前に粒の大きい硬質骨材やセラミックまたは多孔質骨材（1.0mm〜3.3mm）や、硅砂等の骨材を前散布し、塗料が落下した後に粒の小さい硬質骨材やセラミック骨材または多孔質骨材（0.5mm〜1.0mm）や硅砂等の骨材を後散布すること、第２に、骨材の前散布は、ホッパー内に骨材を満たすため、バーナー部に火を付け、加熱プレートに熱を加えて熱伝導で中の骨材を加熱・保温し、加熱・保温された骨材を散布パイプの穴より路面に落下させることを要旨とするものである。
【００１３】
路面塗装施工装置用骨材散布装置としては、ホッパーの下部にタイヤを両側に設け、ホッパーの内部にバーナー部で加熱する加熱プレートを設置可能とし、その下方に排出装置として、骨材を路面に落下させる穴を点在させた散布パイプを前記タイヤの車軸に被嵌して回動自在に設けたことを要旨とするものである。
【００１４】
請求項１記載の本発明によれば、前散布骨材の落下と塗料、後散布骨材の落下の３工程が同時に施工可能なものとなり、しかも、塗料が落下する前と落下した後に骨材を散布することにより、樹脂バインダーである塗料中に骨材を埋設して高い骨材の固着性を実現できる。
【００１５】
請求項２記載および請求項３記載の本発明によれば、塗料が落下する前に粒の大きい硬質骨材やセラミックまたは多孔質骨材（1.0mm〜3.3mm）や、硅砂等の骨材を前散布し、塗料が落下した後に粒の小さい硬質骨材やセラミック骨材または多孔質骨材（0.5mm〜1.0mm）や硅砂等の骨材を後散布することにより、粒の大きい硬質骨材等の間に粒の小さい硬質骨材等に収まって樹脂バインダーである塗料中に入り込むことになり、骨材は樹脂バインダーである塗料中により完全に混入されたものとなる。
【００１６】
請求項４記載の本発明によれば、骨材を前散布すると塗料と路面の間に空隙を生む場合があるが、骨材を事前に加熱・保温する事で、塗料と骨材の温度差を少なくし、接着性を上げることができる。
【００１７】
請求項５記載の本発明によれば、路面塗装施工装置用骨材散布装置としては、これを路面塗装施工装置にセットすることで、前散布・後散布にかかわらず、効率的に骨材を散布できるものであり、散布パイプはタイヤでの走行で回転駆動され、穴から取り込んだ骨材を吐きだして路面に落下させる。また、加熱プレートにより事前に骨材を加熱・保温する事で、塗料と骨材の温度差を少なくし、接着性を上げることができる。
【発明の効果】
【００１８】
以上述べたように本発明の路面塗装施工装置および路面塗装施工法および路面塗装施工装置用骨材散布装置は、高い骨材の固着性を実現し、舗装面に求められるすべり抵抗性を発揮させることができるもので、バインダー塗布と骨材散布の一体同時施工により、高い骨材の固着性を実現し、舗装面に求められるすべり抵抗性が得られる。
【００１９】
そして、高機能舗装（排水性舗装）に施工する場合は、その路面における排水性機能を損なうことなく、カラー路面塗装する事が可能となり、注意喚起や安全通路の明示等に効果を発揮出来る。
【発明を実施するための形態】
【００２０】
以下、図面について本発明の実施の形態を詳細に説明する。図１は本発明の路面塗装施工装置の１実施形態を示す全体の側面図、図２は同上斜視図で、手押し式自走施工機や手引き式四輪施工機を使用し（図示の例は手引き式四輪施工機）、施工幅は１５０ｍｍ〜４５０ｍｍ程度まで対応可能で、異なる２種類の粒径の骨材を散布しながら塗料を同時に塗布出来る施工装置である。
【００２１】
塗料タンクからの塗料供給部に材料を補給し、シューまたはスリットノズルより、塗料を路面へ落下・直接流下させ、骨材散布と同時にカラー塗装する路面塗装施工機として、台車３に塗料散布装置７を接続する塗料タンク４を設けている。図中５は前記シャッターの操作ハンドル、６はバーナー用の燃料ボンベである。
【００２２】
直接流下装置としての塗料散布装置７を図１２に示す。内部には、２個のローラーがギアで組立てられて入っており、塗料がカーテン状に落下し、路面の上に塗布される事で塗膜が形成される仕組みである。塗料タンク４に塗料を溶解釜より供給し、加熱・保温し、温まっている塗料を塗料供給口よりレバーを操作し、補給する。そこでもラインバーナーにより保温する。温まった材料は２軸ローラーを逆回転にしておく事で、路面に吐出されない。施工する時はスイッチ操作により、回転を正回転にして塗料を路面に吐出させる。施工幅はノズル刃の幅とシューの設置高さで調整し、あらかじめ規定幅を満足するか確認する。
【００２３】
このように、２軸ローラーが逆回転している時は、吐出が停止している状態となり、塗料は落下しない。２軸ローラーが正回転している時は、吐出が解放状態となり、塗料が落下する。この動作の正・逆を換えながら路面に施工可能な装置である。カラー塗装の場合は、基本的に１５ｃｍ〜４５ｃｍ幅の各寸法のノズル刃を交換しながら、設計塗装幅を満足させる。施工箇所が幅広時や全面塗装時は３０ｃｍ幅や４５ｃｍ幅で横に連続で塗布していく。
【００２４】
本発明は塗料が落下した後に骨材を散布する後散布装置１０の他に塗料が落下する前に骨材を散布する前散布装置１１を設け、２種類の骨材散布と同時にカラー塗装できるようにした。
【００２５】
後散布装置１０は前記従来例の骨材供給装置８と同じような構成の散布装置であり、骨材を収容するホッパーの排出口にシャッターを設けたものである。
【００２６】
前散布装置１１は図３〜図１１に示すように、骨材（1.0mm〜3.3mm）を満たすホッパー１２の下部にタイヤ１７を両側に設けることで、施工装置本体に着脱自在に取り付けて、施工装置本体とともに走行可能なものとしたもので、ホッパー１２の内部にバーナー部１３で加熱する加熱プレート１４を設置可能とし、その下方に骨材を路面に落下させる穴１５を点在させた散布パイプ１６を回動自在に設けた。
【００２７】
前記加熱プレート１４は、取手１４aを両側に設けた本体部１４ｂはホッパー１２の蓋となるようにし、この本体部１４ｂから放熱フィン１４ｃ間隔を存して下向きに並列させた。前記バーナー部１３は本体部１４ｂの上側に沿わせる。
【００２８】
前散布装置１１の前記散布パイプ１６はタイヤ１７の車軸１８に被嵌して、タイヤ１７の転動とともに回転するものであり、ホッパー１２の下部開口に横たわるように設置する。
【００２９】
前記車軸１８はセンターパイプ２０とその両側に嵌るシャフト２１とで構成され、シャフト２１をピローブロック１９が軸受して支承する。図中２２はセンターパイプ２０にシャフト２１を固定するスプリングピンである。
【００３０】
前記ホッパー１２の下部開口の幅方向の約半分は遮断プレート２３により塞ぎ、前散布装置１１を傾けた場合には、ホッパー１２内の骨材はこの遮断プレート２３で阻止されて散布されないようになる。
【００３１】
散布パイプ１６に当接するようにブラシ２４を、ブラシクランプロア２６、ブラシクランプアッパー２７で挟み込み、これをブラシブラケット２５によりホッパー１２の前側下部に設ける。
【００３２】
さらに、散布止めカバー２８と、ガイド棒（針）２９と、補助キャスター３０とを取り付けた。
【００３３】
前記前散布装置１１はホッパー１２の後側にフック３２を設けて、施工機のバー３４に吊支されるものであり、ホッパー１２の横から上下可変用のレバー３１を突出させる。図中３３はホッパー１２の横に設けた取手である。
【００３４】
次に、この施工装置の使用法に関して、本発明の施工法を説明する。図１３は塗装工程を示すもので、プライマー散布、骨材散布、バインダー塗布、骨材散布の４重構造となり、骨材散布から後の３工程は、一体同時施工となる。
【００３５】
バインダー塗布に関しては、溶融型直接流下式路面カラー塗装を行うもので、路面塗装施工装置は、走行しながら、塗料タンク４からの塗料散布装置７に塗料材料を補給し、塗料散布装置７のシューまたはスリットノズルより、塗料を路面へ落下・直接流下させる。
【００３６】
そして、塗料が落下する前に前散布装置１１により、粒の大きい硬質骨材やセラミックまたは多孔質骨材（1.0mm〜3.3mm）や、硅砂等の骨材を前散布し、また、塗料が落下した後に後散布装置１０により、粒の小さい硬質骨材やセラミック骨材または多孔質骨材（0.5mm〜1.0mm）や硅砂等の骨材を後散布する。
【００３７】
なお、前記前散布装置１１での骨材散布の前にはプライマー散布を別装置で行うが、粘着性の高いプライマーの選定を行うことで骨材と路面の接着性向上を実現することができる。
【００３８】
前散布装置１１での骨材の前散布は、ホッパー１２内に骨材を満たすため、バーナー部１３に火を付け、加熱プレート１４に熱を加えて熱伝導で中の骨材を加熱・保温し、加熱・保温された骨材を散布する。
【００３９】
ホッパー１２内の骨材は、タイヤ１７の車軸１８が回転することで、ともに回転する散布パイプ１６により、穴１５を介して適量づつ徐々に路面に落下する。
【００４０】
また、ブラシ２４が散布パイプ１６に当接していて、穴１５の目詰まりを防止する。
【００４１】
このようにして、塗料が落下する前に粒の大きい硬質骨材やセラミックまたは多孔質骨材（1.0mm〜3.3mm）や、硅砂等の骨材を前散布する。
【００４２】
塗料が落下した後に粒の小さい硬質骨材やセラミック骨材または多孔質骨材（0.5mm〜1.0mm）や硅砂等の骨材を後散布する。施工幅は１５０ｍｍ〜４５０ｍｍ程度まで対応可能で、異なる２種類の粒径の骨材を散布しながら塗料を同時に塗布出来る。
【００４３】
図１３に示すように、前散布した粒の大きい硬質骨材等の間に後散布する粒の小さい硬質骨材等が入り込み、樹脂と密接する。
【００４４】
なお、前散布装置１１は、これを使用しない時は、上下可変用のレバー３１により全体を傾ければ、タイヤ１７が浮いて接地せず、散布パイプ１６も回転しないし、また、ホッパー１２内の骨材はこの遮断プレート２３で阻止されて散布されない。
【００４５】
前記実施形態は、前散布装置１１を手引き式四輪施工機に設置した場合を説明したが、手押し式自走施工機に設置することもでき、その場合は図１２に示すように、施工機の後ろ側で操作するため、上下可変用のレバー３１を突出方向は前記実施形態とは逆になる。
【００４６】
また、図１３に示すように、２０ｃｍ可変巾ビーズ散布機３５を取り付け、骨材にガラスビーズを散布することも加えることもできる。
【図面の簡単な説明】
【００４７】
【図１】本発明の路面塗装施工装置の１実施形態を示す全体の側面図である。
【図２】本発明の路面塗装施工装置の１実施形態を示す全体の斜視図である。
【図３】前散布装置の斜視図である。
【図４】前散布装置の平面図である。
【図５】前散布装置の側面図である。
【図６】前散布装置の縦断側面図である。
【図７】前散布装置の正面図である。
【図８】前散布装置の縦断正面図である。
【図９】前散布装置の背面図である。
【図１０】前散布装置で、散布パイプを組み込む下部の背面図である。
【図１１】前散布装置の部品構成を示す分解斜視図である。
【図１２】塗料散布装置の説明図である。
【図１３】ビーズ散布機を取り付けた状態の平面図である。
【図１４】前散布装置で手押し式自走施工機に設置する場合の斜視図である。
【図１５】本発明の塗装工程を示す説明図である。
【図１６】従来例を示す装置の側面図である。
【図１７】従来例を示す道路表面の縦断側面図である。
【符号の説明】
【００４８】
α…舗装面                １…樹脂バインダー
２…硬質骨材              ３…台車
４…塗料タンク            ５…操作ハンドル
６…燃料ボンベ            ７…塗料散布装置
８…骨材供給装置
１０…後散布装置          １１…前散布装置
１２…ホッパー            １３…バーナー部
１４…加熱プレート        １４a…取手
１４ｂ…本体部            １４ｃ…放熱フィン
１５…穴                １６…散布パイプ
１７…タイヤ            １８…車軸
１９…ピローブロック    ２０…センターパイプ
２１…シャフト          ２２…スプリングピン
２３…遮断プレート      ２４…ブラシ
２５…ブラシブラケット  ２６…ブラシクランプロア
２７…ブラシクランプアッパー
２８…散布止めカバー    ２９…ガイド棒（針）
３０…補助キャスター    ３１…レバー
３２…フック            ３３…取手
３４…バー              ３５…ビーズ散布機
【図１】
2015034389.tif 000003
【図２】
2015034389.tif 000004
【図３】
2015034389.tif 000005
【図４】
2015034389.tif 000006
【図５】
2015034389.tif 000007
【図６】
2015034389.tif 000008
【図７】
2015034389.tif 000009
【図８】
2015034389.tif 000010
【図９】
2015034389.tif 000011
【図１０】
2015034389.tif 000012
【図１１】
2015034389.tif 000013
【図１２】
2015034389.tif 000014
【図１３】
2015034389.tif 000015
【図１４】
2015034389.tif 000016
【図１５】
2015034389.tif 000017
【図１６】
2015034389.tif 000018
【図１７】
2015034389.tif 000019